(57)【要約】【課題】シャワー入浴中に温水の温度が適正温度範囲の上限温度を超えた場合に、シャワーノズルへの供給を確実に防止できるようにする。【解決手段】湯水の温度が短時間だけ適正温度範囲の上限温度（例えば４４度）を超えた場合などに、仮に第１制御部６８によるソフトウェア制御で検知できなかった場合でも、第２制御部８２は、温度検知センサＴＳ３、ＴＳ４で検知した湯水の温度に対応した温度検知信号値と、第２制御部８２で設定されている上限温度（例えば４５度）に対応した閾値とを直接比較し、温度検知信号値が閾値を超えていると判断すると、開閉電磁弁６７ａ、６７ｂを開状態から閉状態に制御して、シャワーノズル５ａ、５ｂへの湯水の供給を停止する。【選択図】　　　図５
2004097484.tif 000002
【特許請求の範囲】
【請求項１】
入浴者の身体の少なくとも一部が内部に収容される入浴用筐体と、前記入浴用筐体内に収容される入浴者に湯水を噴射してシャワー入浴を行うためのシャワー手段と、前記シャワー手段に湯水の温度を調整して供給する湯水供給手段とを有するシャワー入浴装置において、
前記湯水供給手段から前記シャワー手段に供給される湯水の温度を検知する温度検知手段と、前記温度検知手段から入力される湯水温度の検知信号に基づいて前記湯水供給手段に前記シャワー手段への湯水の供給の是非を指示する複数の供給指示手段とを備え、前記複数の供給指示手段は、各々前記シャワー手段への湯水の供給の是非を判定するための閾値を有し、前記複数の供給指示手段は前記温度検知手段により検知された湯水の温度が各々の閾値を超えていると判断した場合、前記シャワー手段への湯水の供給を行わないように指示することを特徴とするシャワー入浴装置。
【請求項２】
前記湯水供給手段は、前記シャワー手段に温度を調整された湯水を供給する供給路を開閉自在な供給路開閉手段を備え、前記複数の供給指示手段の少なくとも一つは前記供給路開閉手段に指示することによって前記シャワー手段への湯水の供給の是非を指示し、前記供給路開閉手段は前記複数の供給指示手段のいずれかからの指示に基づいて前記供給路の開閉を行うことを特徴とする請求項１に記載のシャワー入浴装置。
【請求項３】
前記湯水供給手段は、前記供給路開閉手段の上流側に湯水排水手段を備え、前記複数の供給指示手段の内の、前記供給路開閉手段に指示するものは、前記供給路開閉手段を閉じるように指示する際に前記湯水排水手段に湯水を排水するように指示することを特徴とする請求項２に記載のシャワー入浴装置。
【請求項４】
前記シャワー手段への湯水の供給作動を停止する作動停止手段を備え、前記複数の供給指示手段の少なくとも一つは前記作動停止手段に指示することによって前記シャワー手段への湯水の供給の是非を指示することを特徴とする請求項１乃至３のいずれかに記載のシャワー入浴装置。
【請求項５】
前記閾値の少なくとも一つは任意の値に設定可能であることを特徴とする請求項１乃至４のいずれかに記載のシャワー入浴装置。
【請求項６】
前記閾値は、前記シャワー手段に供給される湯水の上限温度と下限温度の少なくとも片方であり、前記複数の供給指示手段の内の少なくとも一つは、前記温度検知手段により検知された湯水の温度が前記上限温度を超えている場合、あるいは前記下限温度を下回っている場合をもって閾値を超えていると判断することを特徴とする請求項１乃至５のいずれかに記載のシャワー入浴装置。
【請求項７】
前記複数の供給指示手段の内の少なくとも一つは、前記温度検知手段により検知された湯水の温度と前記閾値とを直接比較するハードロジック処理を行い、その結果に基づいて指示を行うことを特徴とする請求項１乃至６のいずれかに記載のシャワー入浴装置。
【請求項８】
前記ハードロジック処理を行う供給指示手段が複数である場合、前記ハードロジック処理を行う複数の供給指示手段がそれぞれ有する閾値は同一の値であり、前記ハードロジック処理を行う複数の供給指示手段の内の少なくとも一つは、前記供給路開閉手段に指示を行うことを特徴とする請求項７に記載のシャワー入浴装置。
【請求項９】
前記ハードロジック処理を行う供給指示手段が有する上限温度が前記複数の供給指示手段の上限温度の中で最高値であり、前記ハードロジック処理を行う供給指示手段が有する下限温度が前記複数の供給指示手段の下限温度の中で最底値であることを特徴とする請求項７又は８に記載のシャワー入浴装置。
【請求項１０】
前記供給路開閉手段は通電により内部の弁を閉状態から開状態にする電磁弁であり、前記供給指示手段は前記温度検知手段により検知された湯水の温度が前記閾値内であると判断した場合にのみ前記電磁弁への通電を行うことによって前記シャワー手段への湯水の供給の是非を指示することを特徴とする請求項２乃至９のいずれかに記載のシャワー入浴装置。
【請求項１１】
入浴者の身体の少なくとも一部が内部に収容される入浴用筐体と、前記入浴用筐体内に収容される入浴者に湯水を噴射してシャワー入浴を行うためのシャワー手段と、前記シャワー手段に温度を調整された湯水を供給する湯水供給手段とを有するシャワー入浴装置において、
前記湯水供給手段から前記シャワー手段に供給される湯水の温度を検知する温度検知手段と、前記シャワー手段内に有する温度を調整された湯水を搬送する搬送路を開閉自在な搬送路開閉手段と、前記温度検知手段から入力される湯水温度の検知信号に基づいて前記搬送路開閉手段に前記シャワー手段からの湯水の噴射の是非を指示する複数の噴射指示手段と、を備え、
前記複数の噴射指示手段は、各々前記シャワー手段からの湯水の噴射の是非を判定するための閾値を有し、前記複数の噴射指示手段は、前記温度検知手段により検知された湯水の温度が各々の閾値を超えていると判断した場合、前記搬送路開閉手段を開状態から閉状態にするように指示することを特徴とするシャワー入浴装置。
【発明の詳細な説明】
【０００１】
【発明の属する技術分野】
本発明は、シャワー入浴装置に関し、特に高齢者や身体障害者等の要介護者のシャワー入浴に好適なシャワー入浴装置に関する。
【０００２】
【従来の技術】
高齢者や身体障害者等の要介護者用のシャワー入浴装置は、入浴者（被介護者）が収容される入浴用筐体の内側に、本体シャワー（複数のシャワーノズル）が設置されている。
【０００３】
本体シャワーとしての複数のシャワーノズルは、入浴用筐体内の上部及び下部に設置されており、入浴用筐体内に仰向けに収容されるシャワー入浴者（被介護者）に対して、入浴補助者（介護者）のシャワー入浴作業により複数のシャワーノズルから噴射される湯水によってシャワー入浴させることができる。
【０００４】
この際、入浴補助者（介護者）は、先ずシャワーノズルから噴射される湯水の温度を適正温度範囲（例えば３６〜４４度）内の所定の設定温度（例えば４０度）に設定した後に、入浴用筐体内に収容した入浴者（被介護者）にシャワーノズルから湯水を噴射してシャワー入浴作業を行う。なお、湯水の温度を所定の設定温度に調整中は、湯水の温度が適正温度範囲内に上昇するまでは温度調整中の湯水をシャワーノズルから噴出させることなく外部に排出している（例えば、特許文献１、２参照。）。
【０００５】
【特許文献１】
実開平５−８４３３２号公報（段落番号２９−３６、第２図）
【０００６】
【特許文献２】
特開平６−２３００７号公報（段落番号３５−３８、第９図）
【０００７】
【発明が解決しようとする課題】
上記したようにシャワー入浴装置で入浴者をシャワー入浴させる前に、入浴補助者（介護者）は、シャワーノズルから噴射される湯水の温度を所定の設定温度に設定し、設定温度に設定された湯水を噴射させる。
【０００８】
そして、例えば適正温度範囲（例えば３６〜４４度）の上限温度（４４度）より４度低い４０度に設定された湯水をシャワーノズルから入浴者に噴射してシャワー入浴させている最中において、入浴者の要望等により入浴補助者が温度設定ボタンを押して３度高い４３度の湯水を噴射させようとした場合、湯と水を混合して所定温度の湯水を得る混合弁（ミキシングバルブ）の駆動部は、制御部からの制御信号に基づいて駆動される。
【０００９】
この際、供給される湯と水の割合を混合弁で調整して４０度から４３度の湯水を得る時に、混合弁による湯と水の混合状況によっては、一旦４３度よりも高い温度（例えば、上限温度（４４度）以上の温度）にオーバーシュートする場合があり、この場合はその後４３度の湯水となるようにフィードバック制御される。
【００１０】
上記のように、例えば４０度から４３度の湯水を得る時に、短時間ではあるが適正温度範囲（３６〜４４度）の上限温度を超えた湯水がシャワーノズルの給湯路に供給される場合がある。
【００１１】
このような状況が発生すると、従来は、制御部は温度検知センサから入力される温度検知信号に基づいて、シャワーノズルの給湯路に設けた開閉電磁弁を開から閉に制御し、適正温度範囲の上限温度を超えた湯水をシャワーノズルの配管から外部の排水口に排出するようにしている。
【００１２】
しかしながら、制御部の検知温度に対する感度設定や所定時間における検知温度のサンプリング数等によっては、上記のような場合において、制御部は、湯水の温度が適正温度範囲の上限温度以上の温度から短時間で適正温度範囲に戻った場合等には異常と判断せず、シャワーノズルからそのまま上限温度以上の湯水を噴出するおそれがあった。
【００１３】
このような状況が発生すると、適正温度範囲の上限温度以上の湯水がシャワーノズルから入浴者に噴射されることになり、入浴者に対して不快な思いをさせてしまう。また、制御部が故障した場合、湯水が上限温度以上の温度のまま供給され続け、さらにそれを制御部が検知できないために開閉電磁弁が閉じずに入浴者が湯水によって火傷を負ってしまう可能性がある。あるいは、湯水の温度が下限温度以下のままとなり、入浴者が冷水によってショックを受けてしまうという可能性もある。
【００１４】
そこで本発明は、シャワー入浴中に湯水の温度が適正温度範囲の上限温度以上になった場合に、確実にシャワーの噴射を停止することができるシャワー入浴装置を提供することを目的とする。
【００１５】
【課題を解決するための手段】
上記目的を達成するために本発明は、入浴者の身体の少なくとも一部が内部に収容される入浴用筐体と、前記入浴用筐体内に収容される入浴者に湯水を噴射してシャワー入浴を行うためのシャワー手段と、前記シャワー手段に湯水の温度を調整して湯水を供給する湯水供給手段とを有するシャワー入浴装置において、前記湯水供給手段から前記シャワー手段に供給される湯水の温度を検知する温度検知手段と、前記温度検知手段から入力される湯水温度の検知信号に基づいて前記湯水供給手段に前記シャワー手段への湯水の供給の是非を指示する複数の供給指示手段とを備え、前記複数の供給指示手段は、各々前記シャワー手段への湯水の供給の是非を判定するための閾値を有し、前記複数の供給指示手段は前記温度検知手段により検知された湯水の温度が各々の閾値を超えていると判断した場合、前記シャワー手段への湯水の供給を行わないように指示することを特徴としている。
【００１６】
また、前記湯水供給手段は、前記シャワー手段に温度を調整された湯水を供給する供給路を開閉自在な供給路開閉手段を備え、前記複数の供給指示手段の少なくとも一つは前記供給路開閉手段に指示することによって前記シャワー手段への湯水の供給の是非を指示し、前記供給路開閉手段は前記複数の供給指示手段のいずれかからの指示に基づいて前記供給路の開閉を行うことを特徴としている。
【００１７】
また、前記湯水供給手段は、前記供給路開閉手段の上流側に湯水排水手段を備え、前記複数の供給指示手段の内の、前記供給路開閉手段に指示するものは、前記供給路開閉手段を閉じるように指示する際に前記湯水排水手段に湯水を排水するように指示することを特徴としている。
【００１８】
また、前記シャワー手段への湯水の供給作動を停止する作動停止手段を備え、前記複数の供給指示手段の少なくとも一つは前記作動停止手段に指示することによって前記シャワー手段への湯水の供給の是非を指示することを特徴としている。
【００１９】
また、前記閾値の少なくとも一つは任意の値に設定可能であることを特徴としている。
【００２０】
また、前記閾値は、前記シャワー手段に供給される湯水の上限温度と下限温度の少なくとも片方であり、前記複数の供給指示手段の内の少なくとも一つは、前記温度検知手段により検知された湯水の温度が前記上限温度を超えている場合、あるいは前記下限温度を下回っている場合をもって閾値を超えていると判断することを特徴としている。
【００２１】
また、前記複数の供給指示手段の内の少なくとも一つは、前記温度検知手段により検知された湯水の温度と前記閾値とを直接比較するハードロジック処理を行い、その結果に基づいて指示を行うことを特徴としている。
【００２２】
また、前記ハードロジック処理を行う供給指示手段が複数である場合、前記ハードロジック処理を行う複数の供給指示手段がそれぞれ有する閾値は同一の値であり、前記ハードロジック処理を行う複数の供給指示手段の内の少なくとも一つは、前記供給路開閉手段に指示を行うことを特徴としている。
【００２３】
また、前記ハードロジック処理を行う供給指示手段が有する上限温度が前記複数の供給指示手段の上限温度の中で最高値であり、前記ハードロジック処理を行う供給指示手段が有する下限温度が前記複数の供給指示手段の下限温度の中で最底値であることを特徴としている。
【００２４】
また、前記供給路開閉手段は通電により内部の弁を閉状態から開状態にする電磁弁であり、前記供給指示手段は前記温度検知手段により検知された湯水の温度が前記閾値内であると判断した場合にのみ前記電磁弁への通電を行うことによって前記シャワー手段への湯水の供給の是非を指示することを特徴としている。
【００２５】
また、入浴者の身体の少なくとも一部が内部に収容される入浴用筐体と、前記入浴用筐体内に収容される入浴者に湯水を噴射してシャワー入浴を行うためのシャワー手段と、前記シャワー手段に温度を調整された湯水を供給する湯水供給手段とを有するシャワー入浴装置において、前記湯水供給手段から前記シャワー手段に供給される湯水の温度を検知する温度検知手段と、前記シャワー手段内に有する温度を調整された湯水を搬送する搬送路を開閉自在な搬送路開閉手段と、前記温度検知手段から入力される湯水温度の検知信号に基づいて前記搬送路開閉手段に前記シャワー手段からの湯水の噴射の是非を指示する複数の噴射指示手段と、を備え、前記複数の噴射指示手段は、各々前記シャワー手段からの湯水の噴射の是非を判定するための閾値を有し、前記複数の噴射指示手段は、前記温度検知手段により検知された湯水の温度が各々の閾値を超えていると判断した場合、前記搬送路開閉手段を開状態から閉状態にするように指示することを特徴としている。
【００２６】
【発明の実施の形態】
以下、本発明を図示の実施の形態に基づいて説明する。
【００２７】
〈実施の形態１〉
本発明の実施の形態１を、図１〜図８を参照して説明する。図１は、本発明の実施の形態に係るシャワー入浴装置を示す概略構成図であり、本実施の形態のシャワー入浴装置１は、入浴者（被介護者）Ａの身体の首から下の部分を内部に収容する、繊維強化プラスチック（ＦＲＰ）製の入浴用筐体２を備えている。この入浴用筐体２は、入浴者Ａの身体をストレッチャー３上に載上した状態で収容できるように水平方向に細長く形成されており、その長手方向（前後方向）に対して垂直方向の断面形状が筒状となるように形成されている。
【００２８】
ストレッチャー３は、図２（ａ）、（ｂ）に示すように、走行車輪３１ａを有する台車部３１と、その台車部３１の後端側（図２（ｂ）の左側）に立設された上下方向に伸びる支持部３２と、その支持部３２によって後端側が支持されて台車部３１上に位置する担架部３３とで構成されている。支持部３２は、ＤＣモータを駆動源とする上下機構（不図示）を備えており、担架部３３の上下方向の高さを調整できる。
【００２９】
担架部３３は、人間の身体をちょうど囲む程度の長方形状の金属製の枠体３３ａと、該枠体３３ａに架設されたシート３３ｂとを有している。このシート３３ｂには、メッシュ構造等の湯水が通過可能な構造のものが採用されている。また、担架部３３の後端側（図２（ａ）、（ｂ）の左側）には、入浴補助者（介護者）Ｂが把握してストレッチャーを移動させるための左右一対のハンドル３４が取り付けられている。
【００３０】
入浴用筐体２の長手方向の一方の端面（前面）には、図３に示すように、入浴者Ａを入浴用筐体２内に収容するための収容開口部２１が形成されている。この収容開口部２１は、ストレッチャー３の担架部３３ごと入浴者Ａを収容できる大きさに形成されている。また、収容開口部２１は、カーテン２２によって仕切られている。具体的には、収容開口部２１の上縁部内側に沿って、左右方向に２つに分割されたカーテン２２の上端が固定されており、カーテン２２がのれん状に垂れ下がっている。なお、入浴用筐体２の長手方向の収容開口部２１と反対側の端面は閉じている。
【００３１】
入浴用筐体２の収容開口部２１に対して左右両側の側面部には、入浴補助者Ｂが入浴者Ａに対してシャワー入浴の補助を行ったり入浴者Ａの体を拭いたりするための側面開口部２３がそれぞれ形成されている。この各側面開口部２３は、入浴補助者Ｂがその上半身を入れることができる大きさに形成されている。また、入浴用筐体２の左右両側の各側面開口部２３の内側には、側面開口部２３を遮蔽する開閉自在なカーテン２４がそれぞれ設けられている。
【００３２】
具体的には、入浴用筐体２内には、各側面開口部２３の上縁部及び下縁部に沿って、入浴用筐体２の長手方向に上下一対の上カーテンレール２４ａと下カーテンレール２４ｂがそれぞれ固定されており、上カーテンレール２４ａにはカーテン２４の上端部が側面開口部２３に対して左右方向に移動可能に連結され、また、下カーテンレール２４ｂにはカーテン２４の下端部が側面開口部２３に対して左右方向に移動可能に連結されている。また、各カーテン２４は、各側面開口部２３の略中央から左右方向に開閉可能なように２つに分割されている。
【００３３】
入浴用筐体２の底面部は、３本の支持脚４ａ、４ｂ、４ｃによって支持されており、本実施の形態では床面から約５７ｃｍの高さに支持されている。
【００３４】
入浴用筐体２内には、図４に示すように、湯水を噴射する本体シャワーとしての複数のシャワーノズル５ａ、５ｂが設けられている。具体的には、各側面開口部２３よりも高い位置に配置される上部のシャワーノズル５ａと、各側面開口部２３よりも低い位置に配置される下部のシャワーノズル５ｂとが設けられている。
【００３５】
上部のシャワーノズル５ａは入浴用筐体２内の上部の左右両側面に、入浴用筐体２の長手方向に沿って間隔をあけて４個設けられている。同様に、下部のシャワーノズル５ｂも入浴用筐体２内の下部の左右両側面に、入浴用筐体２の長手方向に沿って間隔をあけて４個設けられている。これらの上部のシャワーノズル５ａ及び下部のシャワーノズル５ｂにより、入浴用筐体２内に収容された入浴者Ａの肩部から足先までの広い範囲にわたって湯水を噴射できる。なお、上部のシャワーノズル５ａ及び下部のシャワーノズル５ｂの数及び配置位置は、入浴用筐体２の大きさや形状に応じて任意に設定することができる。
【００３６】
入浴用筐体２内の底面部には、排水溝２５が形成されている。この排水溝２５は、入浴用筐体２内の底面部の幅方向（図４の左右方向）の中間位置において入浴用筐体２の長手方向に細長く伸びており、排水溝２５の一方の端部（収容開口部２１と反対側）は、入浴用筐体２の下外面に設けた外部への排出口２６（図１参照）に連なっている。
【００３７】
また、入浴用筐体２内の底面部は、その幅方向（図４の左右方向）について、排水溝２５が形成されている中間位置が左右方向両側よりも低くなるように傾斜が設けられていると共に、入浴用筐体２の長手方向について、収容開口部２１側の方がその反対側よりも高くなるように傾斜が設けられている。これにより、入浴用筐体２内にシャワーノズル５ａ、５ｂから噴射された湯水等は排水溝２５に集められ、排水溝２５を通って排出口２６に至り、入浴用筐体２の外部へ排出される。
【００３８】
入浴用筐体２の外部には、供給管Ｐを介してシャワーノズル５ａ、５ｂに湯水を供給すると共にその供給状態を制御する給湯制御装置６が設置されている（図１参照）。この給湯制御装置６は、図５に示すように、水道（水供給源）Ｃ及び給湯器（湯供給源）Ｈと接続されており、この水道Ｃ及び給湯器Ｈから給湯制御装置６に対してそれぞれ水と湯とが供給される。
【００３９】
給湯制御装置６に供給された水は、開閉電磁弁６０ａを通過した後、給湯制御装置６内の減圧装置６１ａで減圧され、２つの給湯路６２ａ、６２ｂに分岐されて送出される。同様に、給湯制御装置６に供給された湯は、開閉電磁弁６０ｂを通過した後、給湯制御装置６内の減圧装置６１ｂで減圧され、２つの給湯路６３ａ、６３ｂに分岐されて送出される。
【００４０】
分岐した一方の給湯路６２ａに送出された水と、分岐した一方の給湯路６３ａに送出された湯とは、ハンドシャワー用混合弁６４ａによって混合され、給湯制御装置６の外面に設けられたハンドシャワー６５の給湯路６６ｄに供給される。
【００４１】
また、分岐した他方の給湯路６２ｂに送出された水と、分岐した他方の給湯路６３ｂに送出された湯とは、本体シャワー用混合弁６４ｂによって混合され、入浴用筐体２内に設けられたシャワーノズル５ａ、５ｂの給湯路６６に供給される。
【００４２】
本体用シャワー混合弁６４ｂの下流側の給湯路６６はその下流側で３つの給湯路６６ａ、６６ｂ、６６ｃに分岐し、そのうちの２つの給湯路６６ａ、６６ｂはシャワーノズル５ａ、５ｂに接続されている。また、残りの１つの給湯路６６ｃは排水口Ｄに接続されている。これら給湯路６６ａ、６６ｂ、６６ｃには、各給湯路６６ａ、６６ｂ、６６ｃを開閉する開閉電磁弁６７ａ、６７ｂ、６７ｃがそれぞれ設けられている。
【００４３】
ハンドシャワー混合弁６４ａの下流側の給湯路６６ｄには、該給湯路６６ｄを開閉する開閉電磁弁６７ｄが設けられており、その下流側にはハンドシャワー６５が設けられている。また、給湯路６６ｄは開閉電磁弁６７ｄの上流側で給湯路６６ｅに分岐し、開閉電磁弁６７ｅを介して排水口Ｄに接続されている。
【００４４】
また、給湯路６６ｄの開閉電磁弁６７ｄの上流側（給湯路６６ｅよりも上流側）には、給湯路６６ｄ内の湯水の温度を検知する２つの温度検知センサＴＳ１、ＴＳ２が設けられており、湯水の温度検知信号は第１制御部６８に送信される。
【００４５】
本体シャワー用混合弁６４ｂの下流側の給湯路６６には、給湯路６６内の湯水の温度を検知して制御部６８に送信する２つの温度検知センサＴＳ３、ＴＳ４が設けられており、検知した温度検知信号が第１制御部６８に送信される。また、給湯路６６の温度検知センサＴＳ３、ＴＳ４よりも上流側には、給湯路６６内の湯水の圧力を検知して第１制御部６８に送信する圧力検知センサＰＳが設けられている。
【００４６】
この圧力検知センサＰＳによる所定圧力値未満の圧力検知信号が送信された場合、それを受信した第１制御部６８は開閉電磁弁６７ａ、６７ｂを制御してシャワーノズル５ａ、５ｂに接続された各給湯路６６ａ、６６ｂを閉じると共に、開閉電磁弁６７ｃを制御して排水口Ｄに接続された給湯路６６ｃを開き、湯水を排水２口Ｄから給湯制御装置６外に排出する。
【００４７】
また、給湯路６６の温度検知検知センサＴＳ３、ＴＳ４よりも下流側で、かつ３つの給湯路６６ａ、６６ｂ、６６ｃの分岐位置よりも上流側には、２本の吸引ホース６９ａ、６９ｂが接続されている。これら２本の吸引ホース６９ａ、６９ｂの先端は、ボディシャンプー８０が入っているシャンプータンクＴ１と消毒液８１が入っている消毒液タンクＴ２にそれぞれ挿入されている。
【００４８】
２本の吸引ホース６９ａ、６９ｂは、それぞれチューブポンプＴＰ１、ＴＰ２を備えており、これにより、シャンプータンクＴ１内のボディシャンプー８０又は消毒液タンクＴ２内の消毒液８１を、シャワーノズル５ａ、５ｂの給湯路６６に供給することができる。２つのチューブポンプＴＰ１、ＴＰ２は第１制御部６８によって制御される。
【００４９】
同様に、給湯路６６ｄの温度検知検知センサＴＳ２よりも下流側で、かつ開閉電磁弁６７ｄよりも上流側には、吸引ホース６９ｃが接続されており、この吸引ホース６９ｃの先端は消毒液タンクＴ２に挿入されている。この吸引ホース６９ｃは第１制御部６８によって制御されるチューブポンプＴＰ３を備えており、これにより、消毒液タンクＴ２内の消毒液８１をハンドシャワー６５の給湯路６６ｄに供給することができる。
【００５０】
給湯制御装置６には、図１に示すように、この給湯制御装置６による湯水の供給状態の制御を遠隔操作可能な遠隔操作装置７が、リモコンケーブル７０を介して接続されている。この遠隔操作装置７の操作パネル７１を入浴補助者Ｂ等の操作者が操作することにより、その操作に応じた操作信号が遠隔操作装置７からリモコンケーブル７０を介して給湯制御装置６の第１制御部６８に送信される。
【００５１】
遠隔操作装置７の操作パネル７１は、図６に示すように、操作者が押圧することでオン・オフの切り替えや設定温度の上下を行うボタン類と、ＬＥＤ（発光ダイオード）の点灯により給湯制御装置６の作動状態を表示するＬＥＤ表示部類と、７セグメント表示で湯温等を表示する７セグ表示部類とで構成される。
【００５２】
具体的には、操作パネル７１のボタン類は、電源のオン・オフを切り替える電源ボタン７２ａと、シャワーノズル５ａ、５ｂからの温水の出湯のオン・オフを切り替えるシャワー装置出湯ボタン７２ｂと、シャワー装置出湯ボタン７２ｂの左側に設けられてシャワーノズル５ａ、５ｂから出湯する湯水の設定温度を１度刻みに高くするシャワー装置湯温プラスボタン７２ｃ及び１度刻みに低くするシャワー装置湯温マイナスボタン７２ｄと、ハンドシャワー６５からの湯水の出湯のオン・オフを切り替えるハンドシャワー出湯ボタン７２ｅと、ハンドシャワー出湯ボタン７２ｅの左側に設けられてハンドシャワー６５から出湯する湯水の設定温度を１度刻みに高くするハンドシャワー湯温プラスボタン７２ｆ及び１度刻みに低くするハンドシャワー湯温マイナスボタン７２ｇと、ボディシャンプー８０をシャワーノズル５ａ、５ｂの給湯路６６に供給される湯水に混入させるシャンプーボタン７２ｈと、消毒液８１をシャワーノズル５ａ、５ｂの給湯路６６に供給される湯水に混入させるシャワー装置消毒液ボタン７２ｉと、入浴者Ａを入浴用筐体２内に収容する前に入浴用筐体２内を予め暖める目的で所定時間だけシャワーノズル５ａ、５ｂから湯水を噴射させる暖気運転ボタン７２ｊと、消毒液８１をハンドシャワー６５の給湯路６６ｄに供給される湯水に混入させるハンドシャワー消毒液ボタン７２ｋとを備えている。
【００５３】
これらボタン類を操作者が押圧すると、そのボタン操作に対応する操作信号がリモコンケーブル７０を介して給湯制御装置６の第１制御部６８に送信され、第１制御部６８はその操作信号に応じて、開閉電磁弁６０ａ、６０ｂ、ハンドシャワー用混合弁６４ａ、本体シャワー用混合弁６４ｂ、開閉電磁弁６７ａ、６７ｂ、６７ｃ、６７ｄ、６７ｅ、及びチューブポンプＴＰ１、ＴＰ２、ＴＰ３等を制御する。
【００５４】
また、操作パネル７１のＬＥＤ表示部類は、電源ボタン７２ａの範囲内に設けられて電源がオン状態であることを示す電源表示ＬＥＤ７３ａと、給湯路６６、６６ｄ内の湯水の状態がそれぞれ準備中（適温でない）、適温、水圧不足であることを示す３つの湯水状態表示ＬＥＤ７３ｂ、７３ｃ、７３ｄと、シャワー装置出湯ボタン７２ｂの右側に設けられてシャワーノズル５ａ、５ｂから出湯状態であることを示すシャワー装置出湯表示ＬＥＤ７３ｅと、ハンドシャワー出湯ボタン７２ｅの右側に設けられてハンドシャワー６５から出湯状態であることを示すハンドシャワー出湯表示ＬＥＤ７３ｆと、シャンプーボタン７２ｈの左上及び右上に設けられて、それぞれシャワーノズル５ａ、５ｂの給湯路６６に供給される湯水にボディシャンプー８０が混入されていること及びシャンプータンクＴ１内のボディシャンプー８０の残量が少ないことを示すシャンプー状態表示ＬＥＤ７３ｇ１、７３ｇ２と、シャワー装置消毒液ボタン７２ｉの左上及び右上に設けられて、それぞれノズル５ａ、５ｂの給湯路６６に供給される湯水に消毒液８１が混入されていること及び消毒液タンクＴ２内の消毒液８１の残量が少ないことを示す消毒液状態表示ＬＥＤ７３ｈ１、７３ｈ２と、暖気運転ボタン７２ｊの左上に設けられて暖機運転のためのシャワー噴射が行われていることを示す暖機運転状態表示ＬＥＤ７３ｉと、ハンドシャワー消毒液ボタン７２ｋの左上及び右上に設けられてそれぞれハンドシャワー６５の給湯路６６ｄに供給される湯水に消毒液８１が混入されていること及び消毒液タンクＴ２内の消毒液８１の残量が少ないことを示すハンドシャワー消毒液状態表示ＬＥＤ７３ｊ１、７３ｊ２とを備えている。
【００５５】
なお、上記各ボタン７２ｈ、７２ｉ、７２ｊ、７２ｋの左上のＬＥＤ７３ｇ１、７３ｈ１、７３ｉ、７３ｊ１には緑色ＬＥＤをそれぞれ使用し、右上のＬＥＤ７３ｇ２、７３ｈ２、７３ｊ２には赤色ＬＥＤをそれぞれ使用している。これらＬＥＤ表示部類は、リモコンケーブル７０を介して給湯制御装置６の第１制御部６８から送信されてくる制御信号によってその点灯が制御される。
【００５６】
また、操作パネル７１の７セグ表示部類は、シャワーノズル５ａ、５ｂから実際に出湯している湯水の温度等を７セグメントで表示するシャワー装置湯温表示部７４ａと、ハンドシャワー６５から実際に出湯している湯水の温度等を７セグメントで表示するハンドシャワー湯温表示部７４ｂとで構成されている。シャワー装置湯温表示部７４ａには、通常時、温度検知センサＴＳ３の検知温度が表示される。ただし、２つの温度検知センサＴＳ３、ＴＳ４によって検知される２つの温度の差が所定値以上の場合には、第１制御部６８は少なくとも１つの温度検知センサＴＳ３又はＴＳ４が故障していると判断し、エラー表示を行う。
【００５７】
また、シャワー装置湯温プラスボタン７２ｃ又はシャワー湯温マイナスボタン７２ｄが押圧された場合には、シャワーノズル５ａ、５ｂから噴射される湯水の設定温度が５秒間表示される。これと同様に、ハンドシャワー湯温表示部７４ｂには、通常時、温度検知センサＴＳ１の検知温度が表示される。ただし、２つの温度検知センサＴＳ１、ＴＳ２によって検知される２つの温度の差が所定値以上の場合には、第１制御部６８は少なくとも１つの温度検知センサＴＳ１又はＴＳ２が故障していると判断し、エラー表示を行う。
【００５８】
また、ハンドシャワー湯温プラスボタン７２ｆ又はハンドシャワー湯温マイナスボタン７２ｇが押圧された場合には、ハンドシャワー６５から噴射される湯水の設定温度が５秒間表示される。
【００５９】
これら操作パネル７１を構成するボタン類、ＬＥＤ表示部類及び７セグ表示部類と第１制御部６８による制御の関係を、以下に説明する。
【００６０】
給湯制御装置６の電源コンセント（不図示）が商用電源に接続されている状態で電源ボタン７２ａが押圧されると、これに対応する操作信号を受信した第１制御部６８は、商用電源からの電力の各部への供給をオン状態に切り替え、電源表示ＬＥＤ７３ａを点灯制御して開閉電磁弁６０ａ、６０ｂを開状態に制御すると共に、シャワー装置湯温表示部７４ａ及びハンドシャワー湯温表示部７４ｂに温度表示させる。また、電源オンの状態で電源ボタン７２ａが再度押圧されると、これに対応する操作信号を受信した第１制御部６８は、開閉電磁弁６０ａ、６０ｂを閉状態に制御して電源表示ＬＥＤ７３ａを消灯制御すると共に、商用電源からの電力の各部への供給をオフ状態に切り替える。
【００６１】
また、シャワーノズル５ａ、５ｂからの湯水の出湯がオフ状態のときにシャワー装置出湯ボタン７２ｂが押圧されると、これに対応する操作信号を受信した第１制御部６８は、温度検知センサＴＳ３、ＴＳ４の温度検知結果がシャワー装置湯温プラスボタン７２ｃ及びシャワー装置湯温マイナスボタン７２ｄで設定された設定温度になっており、かつ圧力検知センサＰＳの圧力検知結果が所定圧力値以上の場合には、シャワー装置出湯表示ＬＥＤ７３ｅを点灯制御して開閉電磁弁６７ａ、６７ｂを閉状態から開状態に制御し、シャワーノズル５ａ、５ｂの給湯路６６に湯水を供給する。この際、開閉電磁弁６７ｃは開状態から閉状態に制御される。
【００６２】
このとき、同時に湯水状態表示ＬＥＤ７３ｃが点灯制御されて湯水が適温であることが報知される。温度検知センサＴＳ３、ＴＳ４の温度検知結果がシャワー装置湯温プラスボタン７２ｃ又はシャワー装置湯温マイナスボタン７２ｄで設定された設定温度に調整されている途中で、後述する適正温度範囲内になっていない場合には、第１制御部６８は、開閉電磁弁６７ｃを開状態に制御し（開閉電磁弁６７ａ、６７ｂは初期状態の閉状態のまま）、湯水を排水口Ｄから排出すると共に、湯水状態表示ＬＥＤ７３ｂを点灯制御し、湯水を準備中であることを報知する。
【００６３】
また、圧力検知センサＰＳの圧力検知結果が所定圧力値未満の場合には、第１制御部６８は、開閉電磁弁６７ｃを開状態に制御し（開閉電磁弁６７ａ、６７ｂは初期状態の閉状態のまま）、湯水を排水口Ｄから排出すると共に、湯水状態表示ＬＥＤ７３ｄを点灯制御し、湯水が水圧不足であることを報知する。また、シャワーノズル５ａ、５ｂからの湯水の出湯がオン状態のときにシャワー装置出湯ボタン７２ｂが押圧されると、これに対応する操作信号を受信した第１制御部６８は、シャワー装置出湯表示ＬＥＤ７３ｅを消灯制御して開閉電磁弁６７ａ、６７ｂ、６７ｃを閉状態に制御し、シャワーノズル５ａ、５ｂの給湯路６６への湯水の供給を停止する。
【００６４】
また、シャワー装置湯温プラスボタン７２ｃ又はシャワー装置湯温マイナスボタン７２ｄが押圧されると、これに対応する操作信号を受信した第１制御部６８は、第１制御部６８に有するＲＡＭ（不図示）の所定領域に記憶されているシャワーノズル５ａ、５ｂからの湯水の設定温度をそれぞれ１度高く又は１度低く書き換えると共に、その書き換えた設定温度をシャワー装置湯温表示部７４ａに５秒間表示させる。
【００６５】
ここで、ＲＡＭに記憶された設定温度は、第１制御部に有するＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）（不図示）の所定領域に記憶されている設定温度（４０度）を給湯制御装置６の起動時に読み込んだものである。依って給湯制御装置６の電源を閉じるとＲＡＭのデータは消去され、再び起動させるとＲＡＭに記憶される設定温度はＥＥＰＲＯＭより読みとられた４０度となる。
【００６６】
前記ＥＥＰＲＯＭには、設定温度（４０度）の他に、シャワーの温度が適正温度範囲内にあるかを判定するための閾値データでもある適正温度範囲を規定する上限温度（４４度）と下限温度（３６度）を記憶している。この適正温度範囲も給湯制御装置６の起動時にＲＡＭに読み込まれる。
【００６７】
またＥＥＰＲＯＭに記憶される設定温度と、適正温度範囲を規定する上限温度と下限温度は、第１制御部６８と接続される不図示のインターフェイスを介して外部の端末（パーソナルコンピュータ等）より書換が可能で、入浴者の体質や好みに合わせて変更することができる。なお、この書換処理は外部端末により行うが、携帯電話における電話番号データの書換のように操作パネル７１より書換可能としても良い。
【００６８】
また、操作パネル７１に適正温度範囲の書換を行うためのボタンと表示部を設けても良く、あるいはシャワー装置に適正温度範囲を設定するための別の操作パネルを設けても良い。
【００６９】
また、ハンドシャワー６５からの湯水の出湯がオフ状態のときにハンドシャワー出湯ボタン７２ｅが押圧されると、これに対応する操作信号を受信した制御部６８は、温度検知センサＴＳ１、ＴＳ２の温度検知結果がハンドシャワー湯温プラスボタン７２ｆ又はハンドシャワー湯温マイナスボタン７２ｇで設定された設定温度になっている場合には、ハンドシャワー出湯表示ＬＥＤ７３ｆを点灯制御すると共に、所定時間だけ開閉電磁弁６７ｄを開状態に制御して、ハンドシャワー６５の給湯路６６ｄに湯水を供給する。この際、開閉電磁弁６７ｅは開状態から閉状態に制御される。
【００７０】
また、ハンドシャワー６５からの湯水の出湯がオン状態のときにハンドシャワー出湯ボタン７２ｅが押圧されると、これに対応する操作信号を受信した第１制御部６８は、ハンドシャワー出湯表示ＬＥＤ７３ｆを消灯制御し、開閉電磁弁６７ｄを閉状態に制御してハンドシャワー６５への湯水の供給を停止する。
【００７１】
また、ハンドシャワー湯温プラスボタン７２ｆ又はハンドシャワー湯温マイナスボタン７２ｇが押圧されると、これに対応する操作信号を受信した第１制御部６８は、第１制御部６８に有するＥＥＰＲＯＭの所定領域に記憶されているハンドシャワー６５からの湯水の設定温度をそれぞれ１度高く又は１度低く書き換えると共に、その書き換えた設定温度をハンドシャワー湯温表示部７４ｂに５秒間表示させる。
【００７２】
また、シャンプーボタン７２ｈ又はシャワー装置消毒液ボタン７２ｉ又はハンドシャワー消毒液ボタン７２ｋが押圧されると、これに対応する操作信号を受信した第１制御部６８は、その操作信号に応じたチューブポンプＴＰ１、ＴＰ２、ＴＰ３のいずれかが作動するように制御し、シャンプータンクＴ１内のボディシャンプー８０又は消毒液タンクＴ２内の消毒液８１を、それぞれ給湯路６６、６６ｄに供給する。このとき、第１制御部６８によって、シャンプー状態表示ＬＥＤ７３ｇ１又は消毒液状態表示ＬＥＤ７３ｈ１又はハンドシャワー消毒液状態表示ＬＥＤｊ１が点灯制御される。
【００７３】
また、暖気運転ボタン７２ｊが押圧されると、これに対応する操作信号を受信した第１制御部６８は、暖機運転状態表示ＬＥＤ７３ｉを点灯制御して所定時間だけ開閉電磁弁６７ａ、６７ｂを開状態に制御し（開閉電磁弁６７ｃは初期状態の閉状態のまま）、給湯路６６に湯水を供給してシャワーノズル５ａ、５ｂから湯水を噴射させて入浴用筐体２内を暖める。
【００７４】
また、上記した遠隔操作装置７は、図１及び図７（ａ）に示すように、給湯制御装置６に対して着脱できるようになっている。
【００７５】
具体的には、図７（ｂ）に示すように、遠隔操作装置７の背面に４つの真空吸盤７２が設けられており、この真空吸盤７２を給湯制御装置６の上面に吸着させることにより遠隔操作装置７を給湯制御装置６に対して装着することができ、また、装着状態の真空吸盤７２をその端から捲りあげることにより遠隔操作装置７を給湯制御装置６から離脱させることができる。また、遠隔操作装置７の真空吸盤７２による吸着を利用することにより、入浴用筐体２の外周面に対して遠隔操作装置７を着脱自在に装着することができる。
【００７６】
次に、上述した本実施の形態のシャワー入浴装置１で入浴補助者Ｂの補助により入浴者Ａをシャワー入浴させる手順について説明する。
【００７７】
先ず、入浴補助者Ｂは、例えば給湯制御装置６に装着した遠隔操作装置７の操作パネル７１の暖機運転ボタン７２ｊを押し、入浴用筐体２内に設けられたシャワーノズル５ａ、５ｂから入浴用筐体２内に所定の温度の湯水を所定時間噴射して入浴用筐体２内を暖める。
【００７８】
この暖気運転の終了後、入浴補助者Ｂは、入浴者Ａをストレッチャー３の担架部３３上に仰向けに寝かせ、ハンドル３４を把握して台車部３１が２本の後支持脚４ｂ、４ｃの間に進入するようにストレッチャー３を移動させる。これにより、ストレッチャー３の担架部３３とその上の入浴者Ａが収容開口部２１から入浴用筐体２内に収容される。このとき、入浴者Ａの身体の首から下の部分が入浴用筐体２内部に位置すると共に、入浴者Ａの頭部が入浴用筐体２の外部に位置し、カーテン２２により仕切られる。
【００７９】
そして、入浴補助者Ｂは、遠隔操作装置７を給湯制御装置６から取り外して例えば入浴用筐体２に装着し、入浴者Ａのシャワー入浴を開始する前に、シャワーノズル５ａ、５ｂから噴射される湯水の温度を適正温度範囲（本実施の形態では３６〜４４度）内の所定の設定温度に設定する。
【００８０】
そして、湯水の温度が設定温度に調整されると、入浴補助者Ｂは、操作パネル７１のシャワー装置出湯ボタン７２ｂを押す。これにより入浴用筐体２内に設けられたシャワーノズル５ａ、５ｂから、入浴者Ａの身体に対して湯水が噴射される。
【００８１】
この際、シャワーノズル５ａ、５ｂから噴射される湯水の設定温度は初期設定では例えば４０度になっているが、入浴補助者Ｂは入浴者Ａからの要望等に応じ、シャワー装置湯温プラスボタン７２ｃ又はシャワー装置湯温マイナスボタン７２ｄを押して所望の設定温度に調節する。また、必要に応じてシャンプーボタン７２ｈを押すことにより、第１制御部６８の制御によってチューブポンプＴＰ１を作動させてボディシャンプー８０を供給して湯水に混合し、シャワーノズル５ａ、５ｂからボディシャンプー８０を混合した湯水を噴射させるようにしてもよい。
【００８２】
そして、適当なシャワー入浴時間が経過したら、入浴補助者Ｂは操作パネル７１のシャワー装置出湯ボタン７２ｂを再度押す。これにより、入浴用筐体２内に設けられたシャワーノズル５ａ、５ｂからの湯水の噴射が停止する。
【００８３】
続いて入浴補助者Ｂは、必要に応じて入浴者Ａの身体の手洗いを行う。入浴補助者Ｂが入浴者Ａの身体を手洗いする場合、入浴補助者Ｂは、入浴用筐体２の両側面に形成した２つの側面開口部２３のうちの一方に取り付けているカーテン２４を開き、そこに上半身を入れる。そして、その状態でハンドシャワー６５を用いて入浴者Ａの身体を手洗いする。
【００８４】
具体的には、操作パネル７１のハンドシャワー出湯ボタン７２ｅを押すことにより、ハンドシャワー６５から入浴者Ａの身体の任意の部分に所定温度（適正温度範囲）の湯水を噴射させて、入浴者Ａの身体を手洗いすることができる。そして、適当な手洗い時間が経過したら、入浴補助者Ｂは操作パネル７１のハンドシャワー出湯ボタン７２ｅを再度押す。これにより、ハンドシャワー６５からの湯水の噴射が停止する。
【００８５】
そして、手洗いが終了すると入浴補助者Ｂは、ストレッチャー３のハンドル３４を把握して、台車部３１が２本の後支持脚４ｂ、４ｃの間から引き出されるようにストレッチャー３を移動させる。これにより、ストレッチャー３の担架部３３上の入浴者Ａが収容開口部２１から入浴用筐体２の外部に搬出されてシャワー入浴を終える。
【００８６】
そして、上記したようにしてシャワー入浴装置１による入浴者Ａのシャワー入浴を終えた後に、次の入浴者（被介護者）をシャワー入浴させる前に入浴用筐体２内を消毒液８１で殺菌消毒する。
【００８７】
具体的には、シャワー装置消毒液ボタン７２ｉを約３秒間以上押すことにより、制御部６８の制御によって消毒液タンクＴ２内の消毒液８１を給湯路６６に供給して湯水に混合し、シャワーノズル５ａ、５ｂから消毒液８１を混合した湯水（混合液）を入浴用筐体２内に噴射させて、入浴用筐体２内を消毒する。
【００８８】
また、ハンドシャワー６５を用いて入浴用筐体２内を消毒する場合は、ハンドシャワー消毒液ボタン７２ｋを約３秒間以上押すことにより、第１制御部６８の制御によって消毒液タンクＴ２内の消毒液８１を給湯路６６ｄに供給して湯水に混合し、ハンドシャワー６５から消毒液８１を混合した湯水（混合液）を入浴用筐体２内に噴射させて、入浴用筐体２内を消毒する。なお、１日の入浴者の人数に応じて入浴用筐体２内の消毒を、所定回数又はその最後の入浴者が入浴終了後に１回だけ行うようにしてもよい。
【００８９】
本発明の実施の形態１のシャワー入浴装置１では、ハンドシャワー用混合弁６４ａと本体シャワー用混合弁６４ｂの駆動部（不図示）は第１制御部６８からの制御に基づいて駆動され、更に、第１制御部６８は、温度検知センサＴＳ３、ＴＳ４、又はＴＳ１、ＴＳ２から入力される温度検知信号に基づいて、シャワーノズル５ａ、５ｂ、又はハンドシャワー６５に供給される湯水の温度が予め設定した適正温度範囲内（湯水の供給の是非を判定するための予め設定した閾値内）になったと判断した場合には、開閉電磁弁６７ａ、６７ｂ、６７ｃ、又は６７ｄ、６７ｅの開閉制御を行う（詳細は後述する）。なお、本実施の形態では、上記の予め設定した適正温度範囲を、シャワーノズル５ａ、５ｂ、又はハンドシャワー６５に供給される湯水の上限温度と下限温度（本実施の形態では４４度と３６度）によって規定した。
【００９０】
更に、本発明の実施の形態では、図５に示すように、ソフトウェア制御を行う第１制御部６８以外に、ハードウェア制御（ハードロジック処理）を行う第２制御部８２を有しており、第２制御部８２は、温度検知センサＴＳ３、ＴＳ４、又はＴＳ１、ＴＳ２で検知された検知温度と第２制御部８２に適正温度範囲として設定されている上限温度（本実施の形態では４５度）とを直接比較するハードロジック処理を行い、この結果に基づいて開閉電磁弁６７ａ、６７ｂ、６７ｃ、又は６７ｄ、６７ｅをそれぞれ開閉制御する（詳細は後述する）。
【００９１】
次に、シャワー入浴装置１で入浴者Ａをシャワー入浴させる際における、第１制御部６８による制御の具体例を図８に示すフローチャートを参照して説明する。
【００９２】
第１制御部６８は、その内部に有しているＥＥＰＲＯＭより予め記憶されている湯水の設定温度（４０度）と、シャワーの温度が適正温度範囲内にあるかを判定するための閾値データとして適正温度範囲を規定する上限温度（４４度）と下限温度（３６度）を読取り、ＲＡＭに書き込む（ステップＳ１）。そして、入浴補助者（介護者）Ｂが、シャワースタートを入力するシャワー装置出湯ボタン７２ｂを押すことによって湯水の供給が開始される（ステップＳ２、Ｓ３、Ｓ４）。このＳ４の湯水供給処理は、その湯水温度をＲＡＭに記憶される設定温度４０度になるように温調している。
【００９３】
なお、ステップＳ２でシャワー装置出湯ボタン７２ｂ以外のボタンが押された時はその他の処理を行っている（ステップＳ１５）。例えば、湯水の設定温度を所定の温度に変更するため操作パネル７１のシャワー装置湯温プラスボタン７２ｃ又はシャワー装置湯温マイナスボタン７２ｄのキー入力操作がこれにあたる。
【００９４】
次に供給される湯水の温度が、ＲＡＭに記憶される閾値を基に適正温度範囲内にあるか判断される（ステップＳ５、Ｓ６）。上限温度の４４度以下でかつ下限温度の３６度以上の適正温度範囲であれば所定のシャワー入浴時間が経過あるいは停止の入力がされるまでシャワーノズル５ａ、５ｂから湯水が噴射される（ステップＳ７）。
【００９５】
ここで、ステップＳ２で入浴補助者Ｂがシャワー装置湯温プラスボタン７２ｃを押して設定温度を適正温度範囲内（３６〜４４度）の上限温度（４４度）に近い４３度に変更したとき、あるいは、シャワー噴射中に入浴者Ａの要望等により設定温度を４３度に変更した場合（フローでは不図示）、給湯制御装置６の第１制御部６８はＲＡＭの設定温度を４０度から４３度に変更し、本体シャワー用混合弁６４ｂを調整して湯水の温度を４３度にする。
【００９６】
この際、本体シャワー用混合弁６４ｂによる湯と水の混合状況によっては、一旦４３度よりも高い温度（この場合、例えば上限温度の４４度、あるいは４４度以上）にオーバーシュートする場合があり、この上限温度（あるいは上限温度以上）の湯水が短時間ではあるが給湯路６６に供給されることになる。このような状況が発生した場合、ステップＳ５において本発明の実施の形態では、第１制御部６８は、温度検知センサＴＳ３、ＴＳ４で検知した湯水の温度に対応した温度検知信号値と、ＲＡＭから読取った上限温度とを比較して、温度検知信号値が閾値を超えていると判断する。
【００９７】
この判断で第１制御部６８は、湯水の温度が上限温度（あるいは上限温度以上）であることを検知し、本体シャワー用混合弁６４ｂによる湯と水の混合状況を制御してシャワー装置湯温表示部７４ａに温調中であることを表示して、給湯路６６の開閉電磁弁６７ａ、６７ｂを開状態から閉状態に制御すると共に、開閉電磁弁６７ｃを閉状態から開状態に制御し、排水を行いながら温調する（ステップＳ８、Ｓ９）。これによって必要以上に熱い温度の湯水の噴射を防ぐことが出来る。
【００９８】
また、ステップＳ２で入浴補助者Ｂがシャワー装置湯温マイナスボタン７２ｄを押して設定温度を適正温度範囲（３６〜４４度）の下限温度（３６度）に近い３７度に変更したとき、あるいは、シャワー噴射中に入浴者Ａの要望等により設定温度を３７度に変更した場合（フローでは不図示）、給湯制御装置６の第１制御部６８はＲＡＭの設定温度を４０度から３７度に変更し、本体シャワー用混合弁６４ｂを調整して湯水の温度を３７度にする。
【００９９】
この際、本体シャワー用混合弁６４ｂによる湯と水の混合状況によっては、一旦３７度よりも低い温度（この場合、例えば下限温度の３６度、あるいは３６度以下））にオーバーシュートする場合があり、この下限温度（あるいは下限温度以下）の湯水が短時間ではあるが給湯路６６に供給されることになる。このような状況が発生した場合、ステップＳ６において本発明の実施の形態では、第１制御部６８は、温度検知センサＴＳ３、ＴＳ４で検知した湯水の温度に対応した温度検知信号値と、ＲＡＭから読取った下限温度とを比較して、温度検知信号値が閾値を超えていると判断する。
【０１００】
この判断で第１制御部６８は、湯水の温度が下限温度（あるいは下限温度以下）であることを検知し、本体シャワー用混合弁６４ｂによる湯と水の混合状況を制御してシャワー装置湯温表示部７４ａに温調中であることを表示して、給湯路６６の開閉電磁弁６７ａ、６７ｂを開状態から閉状態に制御し、排水を行いながら温調する（ステップＳ８、Ｓ９）。これによって必要以上の冷たい温度の湯水の噴射を防ぐことが出来る。
【０１０１】
そして、ステップＳ８で湯水の温度が上限温度（４４度）以下に温調され（ステップＳ１０、Ｓ１２）、また、ステップＳ８で湯水の温度が下限温度（３６度）以上に温調された場合に（ステップＳ１１、Ｓ１２）、シャワー装置湯温表示部７４ａに温調が終了したことを表示して、給湯路６６の開閉電磁弁６７ａ、６７ｂを閉状態から開状態に制御すると共に、開閉電磁弁６７ｃを開状態から閉状態に制御し（ステップＳ１３、Ｓ１４）、適正温度範囲（３６〜４４度）の湯水をシャワーノズル５ａ、５ｂから入浴者Ａに噴射してシャワー入浴を再開する。
【０１０２】
ところで、上記した第１制御部６８によるソフトウェア制御を実行する場合において、第１制御部６８の検知温度に対する感度設定や所定時間における検知温度のサンプリング数等によっては、第１制御部６８は、湯水の温度が適正温度範囲の上限温度もしくは上限温度以上の温度から短時間で適正温度範囲に戻った場合等には異常と判断しなく、温調を行わない場合も想定される。このため、特に温度が適正温度範囲の上限温度以上の湯水がシャワーノズル５ａ、５ｂから噴射されると、入浴者Ａに不快な思いをさせてしまう。
【０１０３】
そこで、本発明の実施の形態では、第１制御部６８によるソフトウェア制御と独立した第２制御部８２によるハードウェア制御によって、開閉電磁弁６７ａ、６７ｂ、６７ｃをそれぞれ開閉できるようにした。
【０１０４】
即ち、湯水の温度が短時間だけ上記上限温度（４４度）を超えた場合などに、仮に上述した第１制御部６８によるソフトウェア制御で検知できなかった場合でも、第２制御部８２は、上述した第１制御部６８によるソフトウェア制御時に、温度検知センサＴＳ３、ＴＳ４で検知した湯水の温度に対応した温度検知信号値と、第２制御部８２で閾値として設定されている上限温度（本実施の形態は４５度）とを直接比較している。そして、第２制御部８２は、この直接比較で温度検知信号値が閾値を超えていると判断した場合、即ち、湯水の温度が上限温度（本実施の形態は４５度）以上であると判断すると、本体シャワー用混合弁６４ｂによる湯と水の混合状況を制御して、給湯路６６の開閉電磁弁６７ａ、６７ｂを開状態から閉状態に制御すると共に、開閉電磁弁６７ｃを閉状態から開状態に制御する。
【０１０５】
そして、湯水の温度が上限温度（４４度）以下に温調されると、シャワー装置湯温表示部７４ａに温調が終了したことを表示して、第２制御部８２は、給湯路６６の開閉電磁弁６７ａ、６７ｂを閉状態から開状態に制御すると共に、開閉電磁弁６７ｃを開状態から閉状態に制御し、適正温度範囲（３６〜４４度）の湯水をシャワーノズル５ａ、５ｂから入浴者Ａに噴射してシャワー入浴を再開する。
【０１０６】
また、ハンドシャワー６５から温水を入浴者Ａに噴射してシャワー入浴させる場合においても、上記の場合と同様に制御することができる。
【０１０７】
このように本実施の形態では、湯水の温度が短時間だけ適正温度範囲の上限温度を超えた場合などに、仮に第１制御部６８によるソフトウェア制御で検知できなかった場合や第１制御部６８に故障等の不具合があった場合でも、第２制御部８２によるハードウェア制御によって開閉電磁弁６７ａ、６７ｂを確実に閉じることができるので、適正温度範囲の上限温度を超えた温水がシャワーノズル５ａ、５ｂ又はハンドシャワー６５から噴出されることを確実に防止することができる。
【０１０８】
なお、上述した実施の形態１では、温水の温度の適正温度範囲を３６〜４４度に設定した場合であったが、適正温度範囲の温度は３６〜４４度に限定されることなく個々の入浴者の体質や好みに合わせた任意の温度範囲であってもよい。
【０１０９】
また、上述した実施の形態１では、上記の適正温度範囲を、シャワーノズル５ａ、５ｂ、又はハンドシャワー６５に供給される湯水の適正温度範囲の上限温度と下限温度としたが、入浴者Ａの要望等によって上限のみもしくは下限のみであってもよい。
【０１１０】
また、上述した実施の形態１では、１つの第２制御部８２を有していたが、各温度検知センサＴＳ３、ＴＳ４、又はＴＳ１、ＴＳ２の個数に応じて、各温度検知センサＴＳ３、ＴＳ４、又はＴＳ１、ＴＳ２にそれぞれ第２制御部８２を接続し、各第２制御部８２は、入力される各温度検知信号値と設定されている上限温度に対応した閾値とを直接比較して、電磁弁６７ａ、６７ｂ、６７ｃ、又は６７ｄ、６７ｅをそれぞれ開閉制御する。第２制御部が有する閾値は入浴者を火傷等の被害から守るための最終的な閾値であるため、この場合の各第２制御部８２が有している閾値は同一の値である。
【０１１１】
また、上記と同様の理由により、第２制御部８２で設定される上限温度は、第１制御部６８で入浴者の快適さのために設定される適正温度範囲内の上限温度よりも常に高い値に設定される。
【０１１２】
また、上述した実施の形態１では、第２制御部８２は湯水の上限温度側のみを検知していたが、湯水の上限温度と下限温度の両方を検知するようにしてもよい。この場合、第２制御部８２で設定される下限温度は、第１制御部６８で設定される適正温度範囲内の下限温度よりも常に低い値に設定される。これにより入浴者は第１制御部６８に不具合があっても、冷水を浴びてショックを受ける被害から守られる。
【０１１３】
また、本実施の形態の第２制御部８２は、ハードウェア制御によるが、例えば第１制御部８２と独立してプログラムが実行される別のソフトウェア制御による制御手段であっても良い。この場合、第１制御部は給湯制御装置６あるいはシャワー入浴装置１全体を制御するもので、第２制御部は第１制御部の適正温度範囲とは別に適正温度範囲（上限及び下限温度の閾値）を記憶し、この適正温度範囲と温度検知センサにて検出された温度を基に第１制御部とは独立して給湯路の開閉電磁弁６７ａ、６７ｂ、６７ｃやシャワーノズル５ａ、５ｂ内の搬送路開閉部８３の開閉のみを制御するようにすればよい。なお、この制御は、第１制御部６８を説明する図８のステップＳ４からステップＳ１４の制御と同じ制御となる。なお、第２制御部が記憶する適正温度範囲は、第１制御部の適正温度範囲の上限温度より同じか高く、その下限温度より同じか低い温度とする。
【０１１４】
また、本実施の形態で、第１制御部と第２制御部がそれぞれ接続している温度センサ、供給路開閉手段および搬送路開閉手段は同じものであるが、それぞれ別に備えられたものに接続してもよい。
【０１１５】
〈実施の形態２〉
本実施の形態では、湯水の温度が短時間だけ適正温度範囲の上限温度を超えた場合などに、仮に第１制御部６８によるソフトウェア制御で検知できなかった場合、あるいは開閉電磁弁６７ａ、６７ｂが故障して閉状態にならない場合でも、第２制御部８２によるハードウェア制御によって、シャワーノズル５ａ、５ｂ、又はハンドシャワー６５に湯水を供給する供給部への通電を停止するようにした。他の構成は、図１〜図７に示した実施の形態１のシャワー装置と同様である。
【０１１６】
このように本実施の形態では、湯水の温度が短時間だけ適正温度範囲の上限温度を超えた場合などに、仮に第１制御部６８によるソフトウェア制御でシャワーノズル５ａ、５ｂ、又はハンドシャワー６５に湯水を供給する供給部への通電を確実にＯＦＦにすることができるので、適正温度範囲の上限温度を超えた温水がシャワーノズル５ａ、５ｂ又はハンドシャワー６５から噴出されることを確実に防止することができる。
【０１１７】
〈実施の形態３〉
図９は、本発明の実施の形態３に係るシャワー入浴装置の給湯制御装置の内部構成を示す配管ブロック図である。なお、図５示した実施の形態１に係るシャワー入浴装置１の給湯制御装置６と同一部材には同一符合を付し、重複する説明は省略する。
【０１１８】
本実施の形態では、シャワーノズル５ａ、５ｂ内の、温調された湯水をシャワーノズル５ａ、５ｂの噴射口側に搬送する搬送路（不図示）に、この搬送路（不図示）を開閉自在な搬送路開閉部８３を設けている。搬送路開閉部８３は、第１制御部６８によるソフトウェア制御と、第２制御部８２によるハードウェア制御によって開閉動作が制御される。第１制御部６８によるソフトウェア制御と、第２制御部８２によるハードウェア制御は、上述した実施の形態１の場合と同様であり、本実施の形態ではそれらの説明は省略する。
【０１１９】
このように本実施の形態では、湯水の温度が短時間だけ適正温度範囲の上限温度を超えた場合などに、仮に第１制御部６８によるソフトウェア制御で検知できなかった場合でも、第２制御部８２によるハードウェア制御によって搬送路開閉部８３を確実に閉じることができるので、適正温度範囲の上限温度を超えた温水がシャワーノズル５ａ、５ｂから噴出されることを確実に防止することができる。
【０１２０】
【発明の効果】
以上説明したように本発明によれば、複数の供給指示手段は、各々シャワー手段への湯水の供給の是非を判定するための閾値を有しており、複数の供給指示手段が温度検知手段により検知された湯水の温度が各々の閾値を超えていると判断した場合には、シャワー手段への湯水の供給を行わない、あるいはシャワー手段内で湯水の搬送を行わないように指示することにより、湯水の温度が閾値を超えたときには確実にシャワーの噴射を停止することができる。
【図面の簡単な説明】
【図１】本発明の実施の形態１に係るシャワー入浴装置を示す概略構成図。
【図２】（ａ）は、ストレッチャー（担架）の構成を示す上面図、（ｂ）はストレッチャー（担架）の構成を示す側面図。
【図３】入浴用筐体を示す斜視図。
【図４】入浴補助者が入浴者のシャワー入浴の補助を行っている状態を説明するための図。
【図５】本発明の実施の形態１における給湯制御装置の内部構成を示す配管ブロック図。
【図６】操作パネルを示す平面図。
【図７】（ａ）は、遠隔操作装置を備えた給湯制御装置の外観を示す側面図、（ｂ）は、遠隔操作装置の背面側を示す斜視図。
【図８】本発明の実施の形態１における第１制御部の制御のフローチャート。
【図９】本発明の実施の形態３における給湯制御装置の内部構成を示す配管ブロック図。
【符号の説明】
１　　　シャワー入浴装置
２　　　入浴用筐体
３　　　ストレッチャー
５ａ、５ｂ　　　シャワーノズル（シャワー手段）
６　　　給湯制御装置
７　　　遠隔操作制御装置
２１　　収容開口部
２２　　カーテン
２３　　側面開口部
２４　　カーテン
６５　　ハンドシャワー（シャワー手段）
６６、６６ａ、６６ｂ、６６ｃ、６６ｄ、６６ｅ　　給湯路（湯水供給手段）
６７ａ、６７ｂ、６７ｄ　　開閉電磁弁（供給路開閉手段）
６８　　第１制御部（供給指示手段）
７１　　操作パネル
８２　　第２制御部（供給指示手段）
８３　　搬送路開閉部（搬送路開閉手段）
Ａ　　　入浴者
Ｂ　　　入浴補助者
ＴＳ１、ＴＳ２、ＴＳ３、ＴＳ４　　　温度検知センサ（温度検知手段）
【図１】
2004097484.tif 000003
【図２】
2004097484.tif 000004
【図３】
2004097484.tif 000005
【図４】
2004097484.tif 000006
【図５】
2004097484.tif 000007
【図６】
2004097484.tif 000008
【図７】
2004097484.tif 000009
【図８】
2004097484.tif 000010
【図９】
2004097484.tif 000011